(57)【要約】【課題】多数の部屋に設置された多数のテレビ受像機を使用してインターネット上の電子商取引を行うことができ、電子商取引にともなう利用金額をＩＣカードから減算可能なテレビ受像機用カード課金システムを提供する。【解決手段】テレビ受像機２に接続された課金端末装置３が、テレビ受像機２の放送時間に応じた第１利用金額をＩＣカードから減算するテレビ受像機用カード課金システム１であり、共同受信設備４が、テレビ受像機２からのインターネット接続要求を受信する制御装置と、制御装置に接続されてテレビ受像機２にＷｅｂブラウザを表示させる多数のセットトップボックスとを含み、制御装置が、テレビ受像機２によって行われた電子商取引にともなう第２利用金額をポータルサイトサーバから受信する第２利用金額受信手段と、受信した第２利用金額を課金端末装置が読み取り可能な電気信号へ変換し、電気信号を課金端末装置に送信する第２利用金額送信手段とを有し、課金端末装置３が、電気信号に基づいて第２利用金額をＩＣカードから減算する第２利用金額減算手段を有する。【選択図】　　　　図１
2004088163.tif 000002
【特許請求の範囲】
【請求項１】
多数の部屋に設置された多数のテレビ受像機と、それらテレビ受像機に接続された多数の課金端末装置と、放送局から送信された電波を受信し、受信した前記電波をそれらテレビ受像機に給電線を介して配信する共同受信設備とから構成され、前記課金端末装置が、前記テレビ受像機のテレビ放送時間に応じた第１利用金額を算出する第１利用金額算出手段と、所定の金額を記憶したプリペイドカードから前記第１利用金額を減算する第１利用金額減算手段とを有するテレビ受像機用カード課金システムにおいて、
前記共同受信設備が、前記テレビ受像機からのインターネット接続要求を受信する制御装置と、前記制御装置に接続されてインターネットへアクセス可能かつ前記テレビ受像機に所定のＷｅｂブラウザを表示させることが可能な多数のデジタル通信装置とを含み、
前記制御装置が、前記デジタル通信装置を介して前記Ｗｅｂブラウザから所定のポータルサイトへログインした前記テレビ受像機によって電子商取引が行われたときに、前記電子商取引にともなう第２利用金額をポータルサイトサーバから受信する第２利用金額受信手段と、受信した前記第２利用金額を前記課金端末装置が読み取り可能な電気信号へ変換するとともに、前記電気信号を前記課金端末装置に送信する第２利用金額送信手段とを有し、
前記課金端末装置が、前記制御装置から送信された前記電気信号に基づいて前記第２利用金額を前記カードから減算する第２利用金額減算手段を有することを特徴とするテレビ受像機用カード課金システム。
【請求項２】
前記制御装置は、前記テレビ受像機が前記デジタル通信装置を介して前記Ｗｅｂブラウザに接続されたときに、前記カードから前記第１利用金額を非減算とする第１利用金額非減算コマンドを前記課金端末装置に送信する第１利用金額非減算コマンド送信手段を有し、
前記課金端末装置が、前記テレビ受像機の前記Ｗｅｂブラウザへの接続時間に応じた第３利用金額を算出する第３利用金額算出手段と、前記カードから前記第３利用金額を減算する第３利用金額減算手段とを有する請求項１記載のテレビ受像機用カード課金システム。
【請求項３】
前記制御装置は、前記テレビ受像機が前記デジタル通信装置を介して前記Ｗｅｂブラウザから前記ポータルサイトへログインしたときに、前記カードから前記第３利用金額を非減算とする第３利用金額非減算コマンドを前記課金端末装置に送信する第３利用金額非減算コマンド送信手段を有する請求項２記載のテレビ受像機用カード課金システム。
【請求項４】
前記課金端末装置各々が、それらを特定するための課金端末ＩＤを備え、
前記制御装置が、前記課金端末ＩＤを記憶する課金端末ＩＤ記憶手段と、記憶した前記課金端末ＩＤを参照しつつ、前記インターネット接続要求がある前記テレビ受像機に接続された前記課金端末装置を特定するとともに、特定した前記課金端末装置に未使用の前記デジタル通信装置を割り当てる通信装置割当手段とを有し、
前記制御装置の第２利用金額送信手段が、記憶した前記課金端末ＩＤを参照しつつ、前記電子商取引を行う前記テレビ受像機に接続された前記課金端末装置を特定し、特定した前記課金端末装置に前記電気信号を送信する請求項１ないし請求項３いずれかに記載のテレビ受像機用カード課金システム。
【請求項５】
前記カードが、それを特定するためのＩＤパスワードを備え、
前記制御装置が、前記カードに対応する多数の前記ＩＤパスワードを記憶するＩＤパスワード記憶手段と、記憶した前記ＩＤパスワードを参照しつつ、前記カードのＩＤパスワードと記憶した前記ＩＤパスワードとを照合するカード認証手段と、前記テレビ受像機を介して前記電子商取引の要求があったときに、前記カードのＩＤパスワードを前記ポータルサイトサーバに送信するＩＤパスワード送信手段を有する請求項１ないし請求項４いずれかに記載のテレビ受像機用カード課金システム。
【請求項６】
前記制御装置は、前記課金端末装置が前記カードから前記第２利用金額を減算することができないときに、第２利用金額減算不能コマンドを前記ポータルサイトサーバに送信する第２利用金額減算不能コマンド送信手段を有する請求項１ないし請求項５いずれかに記載のテレビ受像機用カード課金システム。
【請求項７】
前記プリペイドカードが、ＩＣカードと磁気カードとのいずれか一方であり、前記デジタル通信装置が、セットトップボックスである請求項１ないし請求項６いずれかに記載のテレビ受像機用カード課金システム。
【請求項８】
前記部屋が、病院の病室である請求項１ないし請求項７いずれかに記載のテレビ受像機用カード課金システム。
【発明の詳細な説明】
【０００１】
【発明の属する技術分野】
本発明は、テレビ受像機の利用時間に応じてプリペイドカードから利用金額を減算するテレビ受像機用カード課金システムに関する。
【０００２】
【従来の技術】
多数の部屋に設置された多数のテレビ受像機のテレビ放送時間（電波受信時間）に応じてプリペイドカードから利用金額を減算するテレビ受像機用カード課金システムは公知である。前記公知のカード課金システムを、それが病院に利用されている場合を例として説明すると、以下のとおりである。
【０００３】
病院では、病室毎にブラウン管テレビ受像機が設置されている。入院患者や看護者、面会者等の病院利用者は、所定の金額を記憶した磁気カード（プリペイドカード）を病院の売店で購入し、磁気カードを使用して病室に設置されたテレビ受像機を有料で利用することができる。
【０００４】
テレビ受像機各々は、複数条の給電線を介して共同受信設備に接続されている。共同受信設備は、放送局から送信された地上波を共同受信アンテナで受信し、受信した地上波を給電線を介して各テレビ受像機に配信している。テレビ受像機各々には、それら受像機のテレビ放送時間に応じて所定の利用金額を磁気カードから減算する課金端末装置が接続されている。利用者は、テレビ放送の提供を受けようとする場合、磁気カードを課金端末装置に挿入し、テレビ受像機のスイッチをＯＮにしてテレビ放送を視聴する。課金端末装置では、テレビ受像機のテレビ放送時間に応じた利用金額を算出し、さらに、算出した利用金額を磁気カードから減算する。利用者は、磁気カードの残高が０になるまでテレビ放送を視聴することができる。
【０００５】
【発明が解決しようとする課題】
一例として示す前記公知のカード課金システムでは、ブラウン管テレビ受像機を介してテレビ放送を視聴することはできるが、テレビ受像機に双方向デジタル通信機能がないので、そのままではインターネットを利用することができない。ブラウン管テレビ受像機からインターネットへアクセスするには、テレビ受像機各々にセットトップボックス（ＳＴＢ）を接続すればよい。
【０００６】
セットトップボックスは、テレビ受像機をインターネットに接続するための家庭用通信端末である。テレビ受像機がセットトップボックスを介してインターネットのＷｅｂブラウザに接続されると、Ｗｅｂブラウザがテレビ受像機の画面に表示される。利用者は、テレビ受像機を使用してインターネット上のホームページを開くことやＷｅｂ検索をすることができる。
【０００７】
しかし、このカード課金システムでは、利用者が所定のポータルサイトを介して電子商取引を行う場合、ポータルサイトサーバから送信された電子商取引にともなう利用金額を、課金端末装置がセットトップボックスから受信することができず、電子商取引にともなう利用金額を課金端末装置を介して磁気カードから減算することができないので、電子商取引の実行が不可能である。なぜなら、課金端末装置は、セットトップボックスのネットワークインタフェイス層のうちの物理層から送信されるコンポジット信号を受信することはできるが、セットトップボックスのＴＣＰ／ＩＰ層のうちのアプリケーション層やトランスポート層、インターネット層に対応するプロトコルを備えておらず、ＨＴＴＰ（ＨｙｐｅｒＴｅｘｔ　Ｔｒａｎｓｆｅｒ　Ｐｒｏｔｏｋｏｌ）によるＨＴＭＬ（ＨｙｐｅｒＴｅｘｔ　Ｍａｒｋｕｐ　Ｌａｎｇｕａｇｅ）ファイルの受信が不可能だからである。
【０００８】
このカード課金システムでは、テレビ受像機にセットトップボックスを取り付けることで、テレビ受像機からインターネットに接続することができたとしても、インターネット上のサービスの利用範囲がホームページの閲覧やＷｅｂ検索等に限定されてしまう。
【０００９】
本発明の課題は、多数の部屋に設置された多数のテレビ受像機を使用してインターネット上の電子商取引を行うことができ、電子商取引にともなう利用金額をプリペイドカードから減算可能なテレビ受像機用カード課金システムを提供することにある。
【００１０】
【課題を解決するための手段】
前記課題を解決するための本発明の前提は、多数の部屋に設置された多数のテレビ受像機と、それらテレビ受像機に接続された多数の課金端末装置と、放送局から送信された電波を受信し、受信した前記電波をそれらテレビ受像機に給電線を介して配信する共同受信設備とから構成され、前記課金端末装置が、前記テレビ受像機のテレビ放送時間に応じた第１利用金額を算出する第１利用金額算出手段と、所定の金額を記憶したプリペイドカードから前記第１利用金額を減算する第１利用金額減算手段とを有するテレビ受像機用カード課金システムである。
【００１１】
前記前提における本発明の特徴は、前記共同受信設備が、前記テレビ受像機からのインターネット接続要求を受信する制御装置と、前記制御装置に接続されてインターネットへアクセス可能かつ前記テレビ受像機に所定のＷｅｂブラウザを表示させることが可能な多数のデジタル通信装置とを含み、
前記制御装置が、前記デジタル通信装置を介して前記Ｗｅｂブラウザから所定のポータルサイトへログインした前記テレビ受像機によって電子商取引が行われたときに、前記電子商取引にともなう第２利用金額をポータルサイトサーバから受信する第２利用金額受信手段と、受信した前記第２利用金額を前記課金端末装置が読み取り可能な電気信号へ変換するとともに、前記電気信号を前記課金端末装置に送信する第２利用金額送信手段とを有し、
前記課金端末装置が、前記制御装置から送信された前記電気信号に基づいて前記第２利用金額を前記カードから減算する第２利用金額減算手段を有することにある。
【００１２】
本発明は、以下の実施態様を有する。
（１）前記制御装置は、前記テレビ受像機が前記デジタル通信装置を介して前記Ｗｅｂブラウザに接続されたときに、前記カードから前記第１利用金額を非減算とする第１利用金額非減算コマンドを前記課金端末装置に送信する第１利用金額非減算コマンド送信手段を有し、前記課金端末装置が、前記テレビ受像機の前記Ｗｅｂブラウザへの接続時間に応じた第３利用金額を算出する第３利用金額算出手段と、前記カードから前記第３利用金額を減算する第３利用金額減算手段とを有する。
（２）前記制御装置は、前記テレビ受像機が前記デジタル通信装置を介して前記Ｗｅｂブラウザから前記ポータルサイトへログインしたときに、前記カードから前記第３利用金額を非減算とする第３利用金額非減算コマンドを前記課金端末装置に送信する第３利用金額非減算コマンド送信手段を有する。
（３）前記課金端末装置各々が、それらを特定するための課金端末ＩＤを備え、前記制御装置が、前記課金端末ＩＤを記憶する課金端末ＩＤ記憶手段と、記憶した前記課金端末ＩＤを参照しつつ、前記インターネット接続要求がある前記テレビ受像機に接続された前記課金端末装置を特定するとともに、特定した前記課金端末装置に未使用の前記デジタル通信装置を割り当てる通信装置割当手段とを有し、前記制御装置の第２利用金額送信手段が、記憶した前記課金端末ＩＤを参照しつつ、前記電子商取引を行う前記テレビ受像機に接続された前記課金端末装置を特定し、特定した前記課金端末装置に前記電気信号を送信する。
（４）前記カードが、それを特定するためのＩＤパスワードを備え、前記制御装置が、前記カードに対応する多数の前記ＩＤパスワードを記憶するＩＤパスワード記憶手段と、記憶した前記ＩＤパスワードを参照しつつ、前記カードのＩＤパスワードと記憶した前記ＩＤパスワードとを照合するカード認証手段と、前記テレビ受像機を介して前記電子商取引の要求があったときに、前記カードのＩＤパスワードを前記ポータルサイトサーバに送信するＩＤパスワード送信手段を有する。
（５）前記制御装置は、前記課金端末装置が前記カードから前記第２利用金額を減算することができないときに、第２利用金額減算不能コマンドを前記ポータルサイトサーバに送信する第２利用金額減算不能コマンド送信手段を有する。
（６）前記プリペイドカードが、ＩＣカードと磁気カードとのいずれか一方であり、前記デジタル通信装置が、セットトップボックスである。
（７）前記部屋が、病院の病室である。
【００１３】
【発明の実施の形態】
添付の図面を参照し、本発明にかかるテレビ受像機用カード課金システムの詳細を、それが病院に構築されている場合を例として説明すると、以下のとおりである。
【００１４】
図１は、テレビ受像機用カード課金システム１の概略図であり、図２は、課金端末装置３と共同受信設備４とを詳細に示すカード課金システム１の構成図である。図２では、テレビ受像機２および課金端末装置３を１台のみ示し、他のテレビ受像機２および課金端末装置３の図示を省略するとともに、給食センター９の図示を省略している。
【００１５】
カード課金システム１は、病院Ｈの多数の病室Ｒに設置された多数のテレビ受像機２と、それらテレビ受像機２の利用時間に応じた利用金額をＩＣカードＣ（プリペイドカード）から減算する多数の課金端末装置３と、放送局（図示せず）から送信された電波の受信機能を有する共同受信設備４とから構成されている。このカード課金システム１では、１台のテレビ受像機２に１台の課金端末装置３が接続され、集線装置（図示せず）から分岐する複数条の給電線５を介してそれらテレビ受像機２と課金端末装置３とが共同受信設備４に接続されている。このカード課金システム１では、ＩＣカードＣの他に、磁気カードを使用することもできる。
【００１６】
テレビ受像機２と課金端末装置３とは、給電線５を介して接続されている。課金端末装置３は、それを特定するための課金端末ＩＤを有する。ＩＣカードＣは、それを特定するためのＩＤパスワードを有する。ＩＣカードＣは、入院患者が病院に入院する際に発行される。給電線５には、不平衡伝送型の同軸ケーブルと平衡伝送型の平行形フィーダとのうちの少なくとも一方を使用することができる。
【００１７】
カード課金システム１では、入院患者や介護者、面会者等の病院利用者がテレビ受像機２からテレビ放送の提供を受けようとする場合、あらかじめ所定の金額を記憶したＩＣカードＣを課金端末装置３に挿入し、テレビ受像機２のスイッチをＯＮにしてテレビ放送を視聴する。このカード課金システム１では、テレビ受像機２のテレビ放送時間（電波受信時間）に応じた利用金額がＩＣカードＣから減算される。
【００１８】
このカード課金システム１は、共同受信設備４がインターネット７に接続する機能を有し、テレビ受像機２を介してインターネット７上のサービスを利用することが可能である。インターネット７上のサービスとしては、ホームページの閲覧やＷｅｂ検索のみならず、電子商取引も含まれる。電子商取引としては、病院Ｈ内外の特定の売店クライアント８（提携商店）からの物品の購入（オンラインショッピング）や給食センター９への給食の配送要求（メニューオーダリングシステム）が含まれる。
【００１９】
テレビ受像機２は、ブラウン管テレビを使用している。テレビ受像機２は、放送局から送信されるアナログ放送（地上波）のみならず、デジタル放送や衛星放送を受信可能である。テレビ受像機２には、ブラウン管テレビの他に、ハイビジョンテレビやＤ（デジタル）端子が付いたプログレッシブテレビ、プラズマディスプレイ（ＰＤＰ）、液晶テレビ（ＬＣＤ）を使用することができる。放送局には、民放地上波放送やＢＳアナログ放送、ＢＳデジタル放送、ＣＳデジタル放送、有線テレビ放送（ＣＡＴＶ）等の既存のテレビ放送事業者が含まれる。
【００２０】
共同受信設備４は、放送局から送信される電波を受信し、受信した電波を給電線５を介して各テレビ受像機２に配信する。共同受信設備４は、図２に示すように、センター制御ユニット１３（制御装置）と、制御ユニット１３に接続された多数のセットトップボックス１４（ＳＴＢ）（デジタル通信装置）と、制御ユニット１３に接続されたＴＶ映像制御部１５および高周波モデム１６と、ＴＶ映像制御部１５および高周波モデム１６に接続された高周波ミクサスプリッタ１７とから形成されている。
【００２１】
セットトップボックス１４には、ＳＷＨＵＢ１８（集線装置）を介してＣＡＴＶモデム１９（変復調装置）が接続されている。ＴＶ映像制御部１５には、共同受信アンテナ２０および映像ソース機器２１が接続されている。
【００２２】
センター制御ユニット１３のテーブル３６（メモリ）（図３参照）には、課金端末装置３各々に対する多数の課金端末ＩＤが格納されている（課金端末ＩＤ記憶手段）。制御ユニット１３のテーブル３６（メモリ）には、それらテレビ受像機２の利用者が所持するＩＣカードＣの多数のＩＤパスワードが格納されている（ＩＤパスワード記憶手段）。センター制御ユニット１３は、ＴＣＰ／ＩＰプロトコル（アプリケーション層、トランスポート層、インターネット層、ネットワークインターフェイス層）を備え、ポータルサイトサーバ１０とのｅｎｄｔｏｅｎｄのやり取りを行うことができる。
【００２３】
センター制御ユニット１３は、ポータルサイトサーバ１０から送信されたＨＴＭＬ（ＨｙｐｅｒＴｅｘｔ　Ｍａｒｋｕｐ　Ｌａｎｇｕａｇｅ）ファイルを受信可能である。センター制御ユニット１３は、ＨＴＴＰを介してＨＴＭＬファイル（Ｗｅｂブラウザ）を受信し、ＨＴＭＬファイルをテレビ受像機２が表示可能なＮＴＳＣ方式によるコンポジット信号に変換する。ＨＴＭＬファイルから変換されたコンポジット信号は、センター制御ユニット１３のネットワークインターフェイス層に含まれる物理層からテレビ受像機２に送信される。
【００２４】
ポータルサイトサーバ１０は、データサーバ１１とＷｅｂサーバ１２とから形成されている（図１参照）。ポータルサイトサーバ１０には、モデム２２（変復調装置）とＣＡＴＶモデム２３（変復調装置）とが接続されている。売店クライアント８には、ＣＡＴＶモデム２４（変復調装置）が接続されている。
【００２５】
センター制御ユニット１３は、テレビ受像機２からインターネット接続要求があると、あらかじめ記憶した課金端末ＩＤを参照しつつ、インターネット接続要求があるテレビ受像機２に接続された課金端末装置３を特定し、特定した課金端末装置３に未使用のセットトップボックス１４を割り当てる（通信装置割当手段）。
【００２６】
センター制御ユニット１３は、テレビ受像機２を介してインターネット７にアクセスし、テレビ受像機２が所定のＷｅｂブラウザに接続されたときに、テレビ受像機２のＷｅｂブラウザへの接続開始時をトリガとして、テレビ受像機２のＷｅｂブラウザに対する接続時間を計数する接続時間計数手段を有する。
【００２７】
センター制御ユニット１３は、テレビ受像機２が所定のＷｅｂブラウザに接続されたときに、ＩＣカードＣからテレビ放送利用金額（第１利用金額）を非減算とする第１利用金額非減算コマンドを課金端末装置３に送信する（第１利用金額非減算コマンド送信手段）。第１利用金額非減算コマンドは、課金端末装置３が読み取り可能な電気信号である。テレビ受像機２のＷｅｂブラウザへの接続時間は、課金端末装置３が読み取り可能な電気信号としてセンター制御ユニット１３から課金端末装置３に送信される。
【００２８】
センター制御ユニット１３は、テレビ受像機２がＷｅｂブラウザから所定のポータルサイトへログインしたときに、Ｗｅｂブラウザのログイン時間の計数を停止する。センター制御ユニット１３は、テレビ受像機２がポータルサイトへログインしたときに、ＩＣカードＣからＷｅｂブラウザ利用金額（第３利用金額）を非減算とする第３利用金額非減算コマンドを課金端末装置３に送信する（第３利用金額非減算コマンド送信手段）。第３利用金額非減算コマンドは、課金端末装置３が読み取り可能な電気信号である。
【００２９】
センター制御ユニット１３は、ポータルサイトへログインしたテレビ受像機２によって電子商取引が行われた場合、電子商取引にともなう商取引利用金額（第２利用金額）をポータルサイトサーバ１０から受信する（第２利用金額受信手段）。制御ユニット１３は、ポータルサイトサーバ１０から受信した商取引利用金額を課金端末装置３へ送信する（第２利用金額送信手段）。
【００３０】
センター制御ユニット１３では、ポータルサイトサーバ１０がＨＴＴＰ（ＨｙｐｅｒＴｅｘｔ　Ｔｒａｎｓｆｅｒ　Ｐｒｏｔｏｋｏｌ）を介して生成した商取引利用金額のＨＴＭＬファイルを受信した後、ＨＴＭＬファイルを課金端末装置３が読み取り可能な電気信号に変換する。ＨＴＭＬファイルから変換された商取引利用金額の電気信号は、センター制御ユニット１３の物理層から課金端末装置３に送信される。
【００３１】
センター制御ユニット１３は、その物理層に課金端末装置３から商取引利用金額（第２利用金額）の減算不能コマンドの電気信号が送信されると、商取引利用金額に対する第２利用金額減算不能コマンドをＨＴＴＰを介してＨＴＭＬファイルに変換し、それをポータルサイトサーバ１０に送信する（第２利用金額減算不能コマンド送信手段）。センター制御ユニット１３は、課金端末装置３からテレビ放送利用金額（第１利用金額）やＷｅｂブラウザ利用金額（第３利用金額）の減算不能コマンドが送信されると、テレビ受像機２のスイッチをＯＦＦにする。
【００３２】
なお、センター制御ユニット１３は、記憶した課金端末ＩＤを参照しつつ、電子商取引が行われたテレビ受像機２に接続されている課金端末装置３を特定し、特定した課金端末装置３に電気信号に変換した商取引利用金額を送信する（第２利用金額送信手段）。さらに、センター制御ユニット１３は、記憶したＩＤパスワードを参照しつつ、電子商取引に使用されているＩＣカードＣのＩＤパスワードと記憶したＩＤパスワードとを照合し（カード認証手段）、カードのＩＤパスワードをポータルサイトサーバに送信する（ＩＤパスワード送信手段）。
【００３３】
ＩＤパスワードの照合では、センター制御ユニット１３に記憶されたＩＤパスワードとＩＣカードＣのＩＣチップに記憶されたＩＤパスワードとを照合するとともに、利用者にＩＣカードＣのＩＤパスワードをテレビ受像機２を介して入力させる。センター制御ユニット１３は、それが記憶しているＩＤパスワードとＩＣチップに記憶されたＩＤパスワードと入力されたＩＤパスワードとが一致することを条件としてＩＣカードＣを正当なものと認証する。
【００３４】
さらに、ＩＤパスワードの照合では、ＩＣカードＣのＩＣチップがセンター制御ユニット１３に乱数やハッシュ値、ＲＳＡ等の暗号アルゴリズムの生成要求コマンドを送信し、センター制御ユニット１３が生成要求コマンドに応答して暗号アルゴリズムを生成する。ＩＣチップは、センター制御ユニット１３が生成した暗号アルゴリズムを使用して暗号データを生成し、それをセンター制御ユニット１３に送信する。センター制御ユニット１３では、ＩＣチップの暗号アルゴリズムと同様の暗号アルゴリズムを使用して暗号データを生成する。センター制御ユニット１３は、それが生成した暗号データとＩＣチップから送信された暗号データとを照合し、それら暗号データの結果が同一であることを条件にＩＣカードＣを正当なものと認証する。
【００３５】
センター制御ユニット１３には、図示はしていないが、ＩＣカード発行機（ＩＣカードＣリーダ／ライタ）が接続されている。センター制御ユニット１３は、ＩＣカード発行機がＩＣカードＣを発行する際、ＩＣカード発行機を介してＩＣカードＣに装着されたＩＣチップのメモリにＩＤパスワードを書き込むとともに、所定の金額をチャージする。センター制御ユニット１３には、あらかじめ多数のＩＤパスワードが記憶され（ＩＤパスワード記憶手段）、記憶したＩＤパスワードを発行するＩＣカードＣ毎に割り当てる。センター制御ユニット１３は、ＩＣカードＣを発行する際に新たなＩＤパスワードを生成し、それをＩＣカードＣに書き込むこともできる。生成されたＩＤパスワードは、制御ユニット１３のテーブル（メモリ）に記憶される（ＩＤパスワード記憶手段）。センター制御ユニット１３は、ＩＣカードＣが返却されると、ＩＣカード発行機を介してＩＣカードＣからＩＤパスワードを消去する。
【００３６】
セットトップボックス１４は、双方向マルチメディア通信を利用するための家庭用通信装置であり、テレビ受像機２をインターネット７と接続することでビデオオンデマンドや双方向ＴＶ等を実現する機能を有する。セットトップボックス１４は、ＴＣＰ／ＩＰプロトコル（アプリケーション層、トランスポート層、インターネット層、ネットワークインターフェイス層）を備え、ポータルサイトサーバ１０とのｅｎｄｔｏｅｎｄのやり取りを行うことができる。
【００３７】
セットトップボックス１４では、インターネットサービスプロバイダー６を中継してインターネット７へ接続した後、ＨＴＴＰを介してＨＴＭＬファイル（Ｗｅｂブラウザ）を受信し、ＨＴＭＬファイルをテレビ受像機２が表示可能なＮＴＳＣ方式によるコンポジット信号に変換する。ＨＴＭＬファイルから変換されたコンポジット信号は、セットトップボックス１４のネットワークインターフェイス層に含まれる物理層からセンター制御ユニット１３を介してテレビ受像機２に送信される。
【００３８】
ＴＶ映像制御部１５は、分岐器や分配器、整合器、直列ユニットとを組み合わせたもので、電波を各テレビ受像機２に配信する機能を有する。ここで、分岐器とは、電波を幹線から支線に分岐する際に使用する機器であり、分配器とは、電波を等分に分割する機器である。整合器とは、同軸ケーブルと平行形フィーダとのインピーダンスおよびモードの変換を行う機器であり、直列ユニットとは、分岐器の機能を主体とし、それに分配機や整合器を組み合わせた機器である。
【００３９】
高周波モデム１６は、デジタル信号をアナログ回線で送受信するための機器で、デジタル信号をアナログ信号に変換する変調の機能と、アナログ信号をデジタル信号に変換する復調の機能とを有する。高周波ミクサスプリッタ１７は、帯域の異なる複数の高周波を一つに合成したり、合成した高周波をそれぞれ異なる帯域の複数の高周波に分離するものである。
【００４０】
放送局から送信された電波は、共同受信アンテナ２０で受信され、ＴＶ映像制御部１５に入力される。電波は、ＴＶ映像制御部１５で分岐、分配された後、高周波ミクサスプリッタ１７で分離され、給電線５を介して課金端末装置３に送信される。
【００４１】
課金端末装置３は、図２に示すように、課金制御ユニット２５と、制御ユニット２５に接続されたカード課金ユニット２６およびリモコン受信ユニット２７と、制御ユニット２５に接続されたＴＶ映像制御部２８および高周波モデム２９と、ＴＶ映像制御部２８および高周波モデム２９に接続された高周波ミクサスプリッタ３０とから形成されている。課金制御ユニット２５とカード課金ユニット２６とには、周辺機器制御ユニット３１が接続されている。ＴＶ映像制御部２８と周辺機器制御ユニット３１とには、テレビ受像機２が接続されている。
【００４２】
課金制御ユニット２５は、利用者がテレビ受像機２からテレビ放送を視聴しているときに、テレビ受像機２のテレビ放送時間（電波受信時間）に応じたテレビ放送利用金額（第１利用金額）を算出する（第１利用金額算出手段）。課金制御ユニット２５は、算出したテレビ放送利用金額をカード課金ユニット２６に出力する。カード課金ユニット２６では、課金制御ユニット２５から出力されたテレビ放送利用金額をＩＣカードＣから減算する（第１利用金額減算手段）。テレビ放送利用金額は、課金制御ユニット２５がテレビ放送時間を計数し、計数した時間に単位時間当たりの単価を掛け合わせることにより算出する。たとえば、テレビ放送時間が１時間、単位時間当たりの単価が１００円／１０分とすると、テレビ放送利用金額＝６×１００＝６００円となる。
【００４３】
なお、課金端末装置２５には、図示はしていないが、ＩＣカードＣを挿入するカード挿入口が形成され、ＩＣカードＣをカード挿入口に挿入すると、カード挿入口の内部に形成された端子がＩＣチップの端子に接触する。
【００４４】
課金制御ユニット２５は、センター制御ユニット１３がセットトップボックス１４を介してインターネット７へ接続し、テレビ受像機２がＷｅｂブラウザに接続されているときに、テレビ受像機２のＷｅｂブラウザへの接続時間に応じたＷｅｂブラウザ利用金額（第３利用金額）を算出する（第３利用金額算出手段）。課金制御ユニット２５は、算出したＷｅｂブラウザ利用金額をカード課金ユニット２６に出力する。カード課金ユニット２６では、課金制御ユニット２５から出力されたＷｅｂブラウザ利用金額をＩＣカードＣから減算する（第３利用金額減算手段）。なお、テレビ受像機２のＷｅｂブラウザへの接続時間は、センター制御ユニット１３から送信される。
【００４５】
Ｗｅｂブラウザ利用金額は、センター制御ユニット１３から送信されたＷｅｂブラウザ接続時間に単位時間当たりの単価を掛け合わせることにより算出する。たとえば、Ｗｅｂブラウザ接続時間が２時間、単位時間当たりの単価が５０円／１０分とすると、テレビ放送利用金額＝１２×５０＝６００円となる。
【００４６】
課金制御ユニット２５は、Ｗｅｂブラウザから所定のポータルサイトへログインしたテレビ受像機２によって電子商取引が行われたときに、電子商取引にともなう商取引利用金額（第２利用金額）をセンター制御ユニット１３の物理層から受信し、受信した商取引利用金額をカード課金ユニットに出力する。カード課金ユニット２６では、課金制御ユニット２５から出力された商取引利用金額をＩＣカードＣから減算する（第２利用金額減算手段）。商取引利用金額には、物品の購入代金や給食の購入代金が含まれる。
【００４７】
カード課金ユニット２６では、ＩＣカードＣからテレビ放送利用金額（第１利用金額）やＷｅｂブラウザ利用金額（第３利用金額）、商取引利用金額（第２利用金額）を減算することができない（カード残額不足）場合、減算不能コマンドの電気信号を課金制御ユニット２５を介してセンター制御ユニット１３の物理層に送信する。
【００４８】
課金制御ユニット２５は、テレビ受像機２がテレビ放送からインターネットに切り替わった場合、テレビ放送利用金額（第１利用金額）の算出を停止し、Ｗｅｂブラウザ利用金額（第３利用金額）を算出する。同様に、カード課金ユニット２６は、ＩＣカードＣからのテレビ放送利用金額の減算を停止し、ＩＣカードＣからＷｅｂブラウザ利用金額を減算する。
【００４９】
課金制御ユニット２５は、テレビ受像機２がＷｅｂブラウザから所定のポータルサイトにログインした場合、Ｗｅｂブラウザ利用金額（第３利用金額）の算出を停止する。同様に、カード課金ユニット２６は、ＩＣカードＣからのＷｅｂブラウザ利用金額の減算を停止する。
【００５０】
課金制御ユニット２５は、テレビ受像機２がインターネット７からログアウトしてテレビ放送に切り替わった場合、再び、テレビ放送利用金額（第１利用金額）の算出を開始する。同様に、カード課金ユニット２６は、ＩＣカードＣからテレビ放送利用金額を減算する。
【００５１】
リモコン受信ユニット２７は、赤外線リモコン３２の発光部から発信された赤外線を受光部で受信し、赤外線の波長に応じた電気信号を課金制御ユニット２５に送信する。ここで、電気信号には、テレビ受像機２のスイッチのＯＮ／ＯＦＦ、チャネルの切り替え、音量調節等のテレビ受像機２固有の機能を変更することの他に、インターネット７への接続要求、テレビ受像機２におけるカーソルの移動やアイコンのクリック、ＩＣカードＣの残金の表示等が含まれる。
【００５２】
ＴＶ映像制御部２８や高周波モデム２９、高周波ミクサスプリッタ３０の機能は、共同受信設備４におけるそれらと同一である。課金端末装置３のＴＶ映像制御部２８は、共同受信設備４のＴＶ映像制御部１５が混成した電波を配分するために使用する。
【００５３】
周辺装置制御ユニット３１は、病室Ｒに設置された冷蔵庫や電話機の利用時間を計数するとともに、利用時間に応じたそれらの利用金額を算出し、算出した利用金額をカード課金ユニット２６に出力する。カード課金ユニット２６では、冷蔵庫や電話機の利用金額をＩＣカードＣから減算する。
【００５４】
図３は、テレビ受像機用カード課金システム１において電子商取引を行う場合の説明図であり、図４は、電子商取引におけるラダー図である。
【００５５】
このカード課金システム１で電子商取引を行うプロセスは、以下のとおりである。テレビ受像機２の利用者ＭがＩＣカードＣを課金端末装置３のカード挿入部（図示せず）に挿入する。利用者Ｍは、赤外線リモコン３２を使用してテレビ受像機２のスイッチをＯＮにする。テレビ受像機２のスイッチがＯＮにされると、図示はしていないが、テレビ受像機２の画面にカーソルとテレビ放送受信のアイコンとインターネット接続のアイコンとが表示される。
【００５６】
テレビ放送を視聴する場合は、テレビ放送受信のアイコン上にカーソルを移動させ、テレビ放送受信のアイコンをクリックする。テレビ放送受信のアイコンをクリックすると、テレビ放送受信コマンドが課金端末装置３から共同受信設備４のセンター制御ユニット１３に入力され、制御ユニット１３が給電線５を介してテレビ受像機２にテレビ放送の電波を送信する。利用者Ｍは、赤外線リモコン３２を使用してテレビ受像機２のチャネルを切り替えたり、音量を調節することができる。
【００５７】
テレビ放送が開始されると、課金端末装置３の課金制御ユニット２５がテレビ受像機２のテレビ放送時間に応じたテレビ放送利用金額を算出し（第１利用金額算出手段）、カード課金ユニット２６がテレビ放送利用金額をＩＣカードＣから減算する（第１利用金額減算手段）。カード残高が０になると、センター制御ユニット１３によってテレビ受像機２のスイッチがＯＦＦにされる。
【００５８】
電子商取引を行う場合は、インターネット接続のアイコン上にカーソルを移動させ、インターネット接続のアイコンをクリックする。インターネット接続のアイコンをクリックすると、インターネット利用インターフェイス３３を介してインターネット接続要求コマンドとセットトップボックス割当要求コマンドとが課金端末装置３から共同受信設備４のセンター制御ユニット１３の物理層に送信される。
【００５９】
センター制御ユニット１３のＳＴＢ管理演算部３５は、あらかじめテーブル３６（メモリ）に記憶された課金端末ＩＤと、インターネット接続要求コマンドおよびセットトップボックス割当要求コマンドを送信した課金端末装置３の課金端末ＩＤとを照合し、それらコマンドを出力した課金端末装置３を特定する。センター制御ユニット１３のＳＴＢ管理演算部３５では、特定した課金端末装置３に接続するセットトップボックス１４を割り当てる。割り当てられるセンタートップボックス１４は、既にインターネット７の接続に使用されているそれを除いた未使用のセットトップボックス１４である。
【００６０】
割り当てられたセットトップボックス１４は、インターネット７への接続を行う。センター制御ユニット１３は、セットトップボックス１４を介してインターネット７へ接続が終了すると、Ｗｅｂブラウザをテレビ受像機２の画面に表示させる。センター制御ユニット１３では、テレビ受像機２のＷｅｂブラウザに対する接続時間を計数し（接続時間計数手段）、接続時間を課金制御ユニット２５に送信する。
【００６１】
課金制御ユニット２５では、送信されたＷｅｂブラウザの接続時間に基づいてＷｅｂブラウザ利用金額を算出するとともに（第３利用金額算出手段）、算出したＷｅｂブラウザ利用金額をカード課金ユニット２６に出力する。カード課金ユニット２６では、Ｗｅｂブラウザ利用金額をＩＣカードＣから減算する（第３利用金額減算手段）。カード残高が０になると、センター制御ユニット１３によってインターネット７への接続が切断されるとともに、テレビ受像機２のスイッチがＯＦＦにされる。
【００６２】
センター制御ユニット１３は、テレビ受像機２がセットトップボックス１４を介してＷｅｂブラウザから所定のポータルサイトへログインすると、ＩＣカードＣからＷｅｂブラウザ利用金額を非減算とするＷｅｂブラウザ金額非減算コマンドを課金制御ユニット２５に送信する（第３利用金額非減算コマンド送信手段）。Ｗｅｂブラウザ金額非減算コマンドは、課金制御ユニット２５からカード課金ユニット２６に入力され、ＩＣカードＣからのＷｅｂブラウザ利用金額の減算が停止される。テレビ受像機２のポータルサイトへのログインは、ポータルサイトサーバ１０のアクセス制御演算部３７にアクセスすることにより行われる。
【００６３】
ポータルサイトサーバ１０は、センター制御ユニット１３に対してＩＤパスワードの入力を要求する。センター制御ユニット１３は、ＩＤパスワードの入力エリアをテレビ受像機２の画面に表示する。利用者Ｍは、所有するＩＣカードＣのＩＤパスワードを赤外線リモコン３２から画面に入力する。入力されたＩＤパスワードは、カードアクセスインターフェイス３４を介して課金端末装置３からセンター制御ユニット１３に送信されるとともに、センター制御ユニット１３からポータルサイトサーバ１０に送信される。
【００６４】
なお、ＩＤパスワードは、ＩＣカードＣからポータルサイトサーバ１０に直接送信されてもよい。この場合は、課金制御ユニット２５がＩＣカードＣのＩＣチップからＩＤパスワードを読み取り、ＩＤパスワードが課金制御ユニット２５からセンター制御ユニット１３に送信されるとともに、ＩＤパスワードがセンター制御ユニット１３からポータルサイトサーバ１０に送信される。
【００６５】
ポータルサイトサーバ１０は、送信されたＩＤパスワードとあらかじめ保有するＩＤパスワードとを照合する。ＩＤパスワードを照合した結果、ＩＤパスワードが不一致の場合は、取引不能メッセージをセンター制御ユニット１３に送信し、センター制御ユニット１３が取引不能メッセージをテレビ受像機２の画面に表示する。ＩＤパスワードが不一致の場合において、テレビ受像機２がポータルサイトからログアウトすると、テレビ受像機２の画面に再びＷｅｂブラウザが表示され、再び、ＩＣカードＣからＷｅｂブラウザ利用金額が減算される。
【００６６】
ＩＤパスワードが一致した場合は、ショピングポータル３８がポータルサイトサーバ１０からセンター制御ユニット１３に送信される。テレビ受像機２の画面には、ショピングポータル３８が表示され、物品の購入が可能となる。利用者Ｍは、ショピングポータル３８の画面に表示された物品をクリックすることで、その物品をポータルサイトサーバ１０に接続された売店クライアント８から購入することができる。
【００６７】
利用者Ｍによって物品の購入が行われた場合は、ポータルサイトサーバ１０が購入された物品の個数や金額、納入場所、納期等をセンター制御ユニット１３に送信し、センター制御ユニット１３がそれらをテレビ受像機２の画面に表示する。利用者Ｍは、購入した物品の個数や金額を確認し、それらに変更がなければ、テレビ受像機２の画面に表示された購入ＯＫのアイコン（図示せず）をクリックする。
【００６８】
購入した物品の金額（第２利用金額）は、ポータルサイトサーバ１０からセンター制御ユニット１３に送信され、制御ユニット１３によって電気信号へ変換される。電気信号（第２利用金額）は、制御ユニット１３から課金制御ユニット２５に送信され、課金制御ユニット２５からカード課金ユニット２６に出力される。カード課金ユニット２６では、ＩＣカードＣから物品の金額を減算する（第２利用金額減算手段）。ＩＣカードＣから購入した物品の金額が減算された場合は、購入代金減算完了コマンドがセンター制御ユニット１３からポータルサイトサーバ１０に送信される。
【００６９】
ポータルサイトサーバ１０に購入代金減算完了コマンドが送信されると、購入成立コマンドがポータルサイトサーバ１０からセンター制御ユニット１３に送信される。センター制御ユニット１３は、購入完了メッセージをテレビ受像機２の画面に表示する。
【００７０】
ポータルサイトサーバ１０における物品の購入が完了すると、ポータルサイトサーバ１０から売店クライアント８に対して物品の発注が行われる。物品の発注は、インターネット７を介して物品発注コマンドがポータルサイトサーバ１０から売店クライアント８の受注管理演算部３９に送信される。物品発注コマンドを受信した受注管理演算部３９では、利用者Ｍが購入した物品の手配を行う。購入された物品は、後日、売店クライアント８から利用者Ｍに配達される。
【００７１】
ＩＣカードＣから購入した物品の金額を減算することができない場合は、商取引利用金額（第２利用金額）の減算不能コマンドの電気信号が課金端末装置３からセンター制御ユニット１３の物理層に送信される。センター制御ユニット１３は、第２利用金額減算不能コマンドをＨＴＴＰを介してＨＴＭＬファイルに変換し、それをポータルサイトサーバ１０に送信する（第２利用金額減算不能コマンド送信手段）。センター制御ユニット１３は、第２利用金額減算不能メッセージをテレビ受像機２の画面に表示する。
【００７２】
テレビ受像機２の画面には、第２利用金額減算不能メッセージの他に、取引終了アイコンと取引続行アイコンとが表示される。利用者Ｍが取引終了アイコンをクリックすると、テレビ受像機２の画面にＷｅｂブラウザが表示される。利用者Ｍが取引続行アイコンをクリックすると、テレビ受像機２の画面に再びショピングポータル３８が表示される。
【００７３】
この発明にかかるテレビ受像機用カード課金システム１は、病院Ｈのみならず、宿泊施設に構築して実施することもできる。
【００７４】
【発明の効果】
本発明にかかるテレビ受像機用カード課金システムによれば、デジタル通信装置を介してホームページの閲覧やＷｅｂ検索を行うことができることはもちろんのこと、共同受信設備の制御装置がインターネット上の電子商取引にともなう第２利用金額のＨＴＭＬファイルをポータルサイトサーバから受信し、制御装置がＨＴＭＬファイルからなる第２利用金額を電気信号に変換してそれを課金端末装置に送信することで、課金端末装置が第２利用金額をプリペイドカードから減算することができる。ゆえに、このカード課金システムでは、多数の部屋に設置された多数のテレビ受像機を介してインターネット上の電子商取引を利用することができる。
【００７５】
このカード課金システムでは、テレビ受像機がＷｅｂブラウザに接続されたときに、プリペイドカードからのテレビ放送時間に応じた第１利用金額の減算が停止されるとともに、テレビ受像機のＷｅｂブラウザへの接続時間に応じた第３利用金額がプリペイドカードから減算されるので、第１利用金額と第３利用金額とが重複して減算されてしまうことがない。
【００７６】
このカード課金システムでは、テレビ受像機がＷｅｂブラウザから所定のポータルサイトへログインしたときに、プリペイドカードからのＷｅｂブラウザ接続時間に応じた第３利用金額の減算が停止されるので、電子商取引を行う際に、電子商取引にともなう第２利用金額と第３利用金額とが重複して減算されてしまうことがない。
【００７７】
このカード課金システムでは、共同受信設備の制御装置がカードのＩＤパスワードを照合するカード認証手段を有するので、カードが不正に使用されてしまうことを防ぐことができる。
【図面の簡単な説明】
【図１】テレビ受像機用カード課金システムの概略図。
【図２】課金端末装置と共同受信設備とを詳細に示すカード課金システムの構成図。
【図３】テレビ受像機用カード課金システムにおいて電子商取引を行う場合の説明図。
【図４】電子商取引におけるラダー図。
【符号の説明】
１　　　　　　テレビ受像機用カード課金システム
２　　　　　　テレビ受像機
３　　　　　　課金端末装置
４　　　　　　共同受信設備
５　　　　　　給電線
７　　　　　　インターネット
１０　　　　　　ポータルサイトサーバ
１３　　　　　　センター制御ユニット（制御装置）
１４　　　　　　セットトップボックス（デジタル通信装置）
Ｃ　　　　　　　ＩＣカード（プリペイドカード）
Ｒ　　　　　　　病室（部屋）
【図１】
2004088163.tif 000003
【図２】
2004088163.tif 000004
【図３】
2004088163.tif 000005
【図４】
2004088163.tif 000006